(57)【要約】【課題】収納した書籍が倒れることを抑制可能な本棚を提供する。【解決手段】書籍を収納する箱形状の本体部１２を備えた本棚１０において、本体部１２は、天板１３と、天板１３に対して平行に配置される底板１６と、天板１３及び底板１６に接続され、かつ、互いに平行に配置される２枚の側板１４，１５と、２枚の側板１４，１５の間に互いに平行に配置される複数の仕切り板１９と、２枚の側板１４，１５と仕切り板１９との間、及び仕切り板１９同士の間に設けられる収納空間２０と、を有する本棚を構成した。【選択図】図１
0003231901.tif 000002
【実用新案登録請求の範囲】
【請求項１】
書籍を収納する箱形状の本体部を備えた本棚において、
前記本体部は、
天板と、
前記天板に対して平行に配置される底板と、
前記天板及び前記底板に接続され、かつ、互いに平行に配置される２枚の側板と、
前記２枚の側板の間に互いに平行に配置される複数の仕切り板と、
前記２枚の側板と前記仕切り板との間、及び前記仕切り板同士の間に設けられる収納空間と、
を有する、本棚。
【請求項２】
請求項１記載の本棚において、
前記本体部が複数設けられ、
前記複数の本体部同士は鉛直方向に積み重ね可能であり、
積み重ねられた前記複数の本体部同士が前記鉛直方向に対して交差する水平面内で第１方向に相対移動することを防止する滑り止め機構が、複数の前記本体部にそれぞれ設けられている、本棚。
【請求項３】
請求項２記載の本棚において、
前記滑り止め機構は、
前記水平面内で前記第１方向に対して交差する第２方向に沿って直線状に設けられた突起と、
前記第２方向に沿って直線状に設けられ、かつ、前記突起が配置される溝と、
を有する、本棚。
【考案の詳細な説明】
【技術分野】
【０００１】
本開示は、複数の書籍を収納可能な本棚に関する。
【背景技術】
【０００２】
複数の書籍を収納可能な本棚の一例が、特許文献１に記載されている。特許文献１に記載された本棚は、雌ネジ機構を内蔵する支柱と、雌ネジ機構に対応するボルトで支柱に固定できるよう両端近くに外側ボルト孔を設け、かつ、同時に反対の面に別の支柱を同様に固定できるよう外側ボルト孔から一定の距離をおいて内側ボルト孔を設けた棚板と、を有する。そして、棚板同士の間に支柱を固定することで、棚板を上下方向に複数段積み重ねることができるようになっている。
【先行技術文献】
【特許文献】
【０００３】
【特許文献１】実用新案登録第３２０８５８７号公報
【考案の概要】
【考案が解決しようとする課題】
【０００４】
本願考案者は、特許文献１に記載された本棚では、支柱同士の間で棚板上に書籍を並べると、書籍が倒れる可能性があるという課題を認識した。
【０００５】
本開示の目的は、収納した書籍が倒れることを抑制可能な本棚を提供することにある。
【課題を解決するための手段】
【０００６】
一実施形態の本棚は、書籍を収納する箱形状の本体部を備えた本棚において、前記本体部は、天板と、前記天板に対して平行に配置される底板と、前記天板及び前記底板に接続され、かつ、互いに平行に配置される２枚の側板と、前記２枚の側板の間に互いに平行に配置される複数の仕切り板と、前記側板と前記仕切り板との間、及び前記仕切り板同士の間に設けられる収納空間と、を有する。
【考案の効果】
【０００７】
一実施形態の本棚によれば、収納した書籍が倒れることを抑制可能である。
【図面の簡単な説明】
【０００８】
【図１】本棚が有する本体部の斜視図である。
【図２】本体部を後方から見た斜視図である。
【図３】（Ａ）は、本体部の平面図、（Ｂ）は、本体部の底面図である。
【図４】複数の本体部を積み重ねた本棚の斜視図である。
【図５】（Ａ），（Ｂ）は、突起及び溝の形状を示す拡大側面図である。
【考案を実施するための形態】
【０００９】
以下、本実施形態の本棚に含まれるいくつかの実施形態を図面に基づいて詳細に説明する。なお、本実施形態の本棚を説明するための全図において、同一部には原則として同一の符号を付し、その繰り返しの説明は省略する。
【００１０】
図１のように、本実施形態の本棚１０は、書籍（本）１１、例えば、本、コミック等を複数収納可能である。本棚１０は、ラックとして把握することも可能である。図１、図２、図３（Ａ），（Ｂ）には、箱形状の本体部１２を１個有する本棚１０が示され、図４には、箱形状の本体部１２を複数個有する本棚１０が示されている。
【００１１】
本体部１２は、１枚の天板１３と、２枚の側板１４，１５と、１枚の底板１６と、１枚の背板１７と、を有する。本体部１２は、全体が一体成形品であってもよいし、天板１３、側板１４，１５、底板１６及び背板１７がぞれぞれ別部材で構成され、天板１３、側板１４，１５、底板１６及び背板１７が、固定手段によって互いに固定されていてもよい。
【００１２】
天板１３、側板１４，１５、底板１６及び背板１７は、全ての要素が合成樹脂製、または、全ての要素が金属製、または全ての要素が木材製の何れでもよい。さらに、合成樹脂製、金属製、木材製のうち、少なくとも２種類以上の要素の組み合させでもよい。合成樹脂としては、例えば、ポリスチレン、ポリプロピレン等を用いることができる。合成樹脂製の要素は、有色、透明、半透明の何れでもよい。要素の材質が、合成樹脂製、金属製、木材製である場合、固定手段、例えば、ねじ部材、接着剤等によって要素同士を固定可能である。要素の材質が金属製である場合、溶接、半田付け等により、要素同士を固定可能である。
【００１３】
図４に示す本棚１０は、複数の本体部１２を有し、本体部１２同士を鉛直方向（上下方向）に重ね、かつ、本棚１０がテーブル１８上に置かれた状態を示している。本棚１０がテーブル１８上に置かれていると、天板１３及び底板１６は、略水平である。図３（Ａ）のように、本体部１２を上から見た平面視で、天板１３の外周形状は、略四角形、例えば、長方形または正方形である。図３（Ｂ）のように、本体部１２を下から見た底面視で、底板１６の外周形状は、略四角形、例えば、長方形または正方形である。本体部１２の平面視で、天板１３及び底板１６の外周形状は、略同一である。
【００１４】
２枚の側板１４，１５は、天板１３及び底板１６に対して垂直である。また、本体部１２を側方から見ると、２枚の側板１４，１５は共に略四角形、例えば、長方形、または正方形である。本体部１２を側方から見ると、２枚の側板１４，１５の外周形状は、略同一である。さらに、本体部１２を後方から見ると、背板１７は略四角形、具体的には長方形または正方形である。背板１７は、天板１３、底板１６及び２枚の側板１４，１５に接続され、かつ、天板１３、底板１６及び２枚の側板１４，１５に対して垂直である。
【００１５】
本体部１２の内部に仕切り板１９が複数設けられている。仕切り板１９は、側板１４と側板１５との間に所定間隔で、例えば、一定の間隔で設けられている。仕切り板１９同士は互いに平行であり、かつ、２つの側板１４，１５と仕切り板１９とは平行である。全ての仕切り板１９は、天板１３及び底板１６に対して垂直であり、かつ、天板１３及び底板１６に接続されている。なお、仕切り板１９は、背板１７に接続されていてもよいし、背板１７に接続されていなくてもよい。仕切り板１９同士の間に収納空間２０が設けられ、仕切り板１９と側板１４，１５との間にそれぞれ収納空間２０が設けられている。全ての収納空間２０は、背板１７と反対の箇所で本体部１２の外部につながっている。
【００１６】
各収納空間２０は、書籍１１を１冊ずつ、つまり、別々に収納可能である。各収納空間２０は、収納する書籍１１の１冊の寸法に応じた容積を有する。本実施形態における収納空間２０は、それぞれの容積が略同一である。例えば、高さＨ１が１８２ｍｍ、奥行きＪ１が１２８ｍｍのＢ６判書籍を、仕切り板と平行な状態で収納空間２０に収納可能である。なお、高さＨ１が１７６ｍｍ、奥行きＪ１が１１３ｍｍの新書判書籍も、仕切り板と平行な状態で収納空間２０に収納可能である。なお、書籍１１の厚さＷ１は、一例として２０ｍｍである。このため、側板１４，１５及び仕切り板１９の高さＨ２は、１９０ｍｍ程度に設定され、側板１４，１５及び仕切り板１９の奥行きＪ２は、１３０ｍｍ程度に設定されている。
【００１７】
図４のように、本体部１２同士を上下に重ねて置く場合に、上の本体部１２（１２Ｃ）が下の本体部１２（１２Ｄ）に対して滑ることを防止する滑り止め機構２３が設けられている。この滑り止め機構２３は、天板１３の外面に設けた突起２１と、底板１６の外面に設けた溝２２と、を有する。突起２１は、天板１３の外面から突出されている。突起２１は、天板１３のうち、背板１７に接続されていない直線状の縁部１３Ａと平行に設けられたレールである。突起２１は、天板１３の外面に複数、例えば、２つ設けられている。本体部１２を図３（Ａ）のように平面視すると、２つの突起２１は、間隔をおいて設けられ、かつ、互いに平行である。突起２１は、天板１３の外面から例えば２ｍｍの高さＨ３で突出されている。また、本体部１２の前後方向Ｄ１において、突起２１の幅Ｍ１は、例えば２ｍｍである。本体部１２の前後方向Ｄ１は、収納空間２０へ書籍１１を出し入れする方向である。
【００１８】
溝２２は、底板１６の外面に設けられている。溝２２は、底板１６のうち、背板１７に接続されていない直線状の縁部１６Ａと平行に設けられている。溝２２は、底板１６の外面に複数、例えば、２つ設けられている。図３（Ｂ）のように、本体部１２を底面視すると、２つの溝２２は、間隔をおいて設けられ、かつ、互いに平行である。溝２２の深さは、突起２１の高さよりも大きく、溝２２の深さは、例えば３ｍｍである。また、本体部１２の前後方向Ｄ１において、溝２２の幅Ｍ２は、突起２１の幅Ｍ１よりも大きく、溝２２の幅Ｍ２は、例えば３ｍｍである。溝２２の深さＷ２は、突起２１の高さＨ３より深い。図４のように、２個の本体部１２を上下方向に重ねると、下の本体部１２（１２Ｄ）の突起２１が、上の本体部１２（１２Ｃ）の溝２２に配置される。突起２１及び溝２２の側面形状は、図５（Ａ）のように、四角形、例えば、長方形、または正方形の何れでもよい。さらに、突起２１及び溝２２の側面形状は、図５（Ｂ）のように台形であってもよい。すなわち、突起２１及び溝２２により、「蟻り継ぎ」が構成されていてもよい。このように構成されていると、突起２１が上の本体部１２（１２Ｃ）に噛み合い、上の本体部１２（１２Ｃ）が下の本体部１２（１２Ｄ）から落下せずに済む。
【００１９】
本実施形態の本棚１０は、複数の収納空間２０が、仕切り板１９によってそれぞれ隔てられている。１箇所の収納空間２０に、１冊の書籍１１を収納可能である。このため、書籍１１が倒れることを防止でき、書籍１１が傷むことを防止できる。さらに、通し番号が付与された書籍１１を本棚１０から取り出し、その後、書籍１１を本棚１０へ戻す場合に、書籍１１の収納順序、つまり、収納位置が変わってしまうことを防止できる。
【００２０】
また、図４のように、複数の本体部１２を上下方向に積み重ねたり、横方向に並べたりすることで、複数の本体部１２の配置レイアウトを、利用者は任意に変更可能であり、かつ、飾る本棚１０を実現可能である。さらに、本体部１２の要素として透明な素材を用いていると、本棚１０の外部から書籍１１を目視可能である。
【００２１】
さらに、図４のように、本体部１２が上下方向に積み重ねられていると、下の本体部１２（１２Ｄ）の突起２１が、上の本体部１２（１２Ｃ）の溝２２に位置する。このため、上の本体部１２（１２Ｃ）を下の本体部１２（１２Ｄ）に対して、前後方向Ｄ１に沿った方向に移動させようとする力が加わると、下の本体部１２（１２Ｄ）の突起２１が、上の本体部１２（１２Ｃ）に係合する。したがって、上の本体部１２（１２Ｃ）が下の本体部１２（１２Ｄ）に対して前後方向Ｄ１で滑ること、つまり、移動することを防止できる。
【００２２】
さらに、本体部１２が上下方向に積み重ねられていると、下の本体部１２（１２Ｄ）の突起２１が、上の本体部１２（１２Ｃ）の溝２２に位置する。２つの突起２１及び２つの溝２２は、直線状に設けられ、突起２１同士は平行であり、溝２２同士は平行である。したがって、上の本体部１２（１２Ｃ）と下の本体部１２（１２Ｄ）とを、前後方向Ｄ１に対して交差する左右方向Ｄ２に沿って相対的に移動させることができる。このため、上の本体部１２（１２Ｃ）を持ち上げることなく、書籍１１が収納空間２０に収納された状態のままで、利用者は、本体部１２同士のレイアウトを変更できる。
【００２３】
本実施形態で説明した事項の技術的意味の一例は、次の通りである。本棚１０は、本棚の一例である。本体部１２（１２Ｃ，１２Ｄ）は、本体部の一例である。天板１３は、天板の一例である。底板１６は、底板の一例である。側板１４，１５は、側板の一例である。仕切り板１９は、仕切り板の一例である。収納空間２０は、収納空間の一例である。滑り止め機構２３は、滑り止め機構の一例である。突起２１は、突起の一例であり、溝２２は、溝の一例である。前後方向Ｄ１は、第１方向の一例である。左右方向Ｄ２は、第２方向の一例である。本体部１２の平面視は、鉛直方向に対して垂直な平面である。
【００２４】
本実施形態の本棚は、図面を用いて開示されたものに限定されるものではなく、その要旨を逸脱しない範囲で種々変更可能である。例えば、本実施形態において、本体部１２をの数は、単数または複数の何れでもよい。また、本体部を上下方向に積む段数、本体部を横方向に並べる数等は、利用者の任意である。
【００２５】
さらに、滑り止め機構として、突起が底板の外面に設けられ、溝が天板の外面に設けられていてもよい。さらに、滑り止め機構として、突起及び溝が底板の外面に設けられ、溝及び突起が天板の外面に設けられていてもよい。なお、本体部を構成する要素同士が、ねじ部材によって互いに固定されている場合、ねじ部材を緩めて取り外すと、本体部を分解可能であり、ねじ部材を締め付けると、本体部を組み立て可能である。また、天板及び底板に前後方向の溝を複数かつ、互いに平行に設け、仕切り板を溝に挿入して前後方向に移動させることにより、仕切り板を天板及び底板に対して取り付け及び取り外しが可能であってもよい。さらにまた、本棚の後方に壁があれば、背板は無くてもよい。
【産業上の利用可能性】
【００２６】
本実施形態の本棚は、コミック、漫画、雑誌等を複数並べて収納する本棚の分野において利用可能である。
【符号の説明】
【００２７】
１０…本棚、１２…本体部、１３…天板、１４，１５…側板、１６…底板、１９…仕切り板、２０…収納空間、２１…突起、２２…溝、２３…滑り止め機構、Ｄ１…前後方向、Ｄ２…左右方向
【図１】
0003231901.tif 000003
【図２】
0003231901.tif 000004
【図３】
0003231901.tif 000005
【図４】
0003231901.tif 000006
【図５】
0003231901.tif 000007